(57)【特許請求の範囲】
【請求項１】
背負式作業機にハンドル（１９）と車輪（２７）を装着し、カートとして移動できるようにする構成において、該背負式作業機を背負う為の背負いベルト（１０）の上下の取付部において、該背負いベルト（１０）の上端の固定金具（３１）の取付部である取付金具（１７）に、前記固定金具（３１）を外した状態で、カートのハンドル（１９）を着脱可能とすると共に、該背負いベルト（１０）の下部の取付金具（３２・３２）を固定するため挿入凹部（３６・３６）に、前記取付金具（３２・３２）を外した状態で、カートの車輪（２７）の支持板（２１）を挿入し、着脱可能に構成したことを特徴とする背負式作業機の移動装置。
【請求項２】
請求項１記載の背負式作業機の移動装置において、前記ハンドル（１９）と車輪（２７）を、取付金具（１７）と挿入凹部（３６・３６）に対して、ネジを用いず着脱可能とするワンタッチ取付部を設けたことを特徴とする背負式作業機の移動装置。
【発明の詳細な説明】
【０００１】
【発明の属する技術分野】
本発明は、背負い式動力噴霧機や背負式動力散布機等の背負式作業機に、車輪を装着して容易にカートに変更して移動できる移動装置に関するものである。
【０００２】
【従来の技術】
従来から背負式動力噴霧機の薬液タンクに薬液を充填すると大変重く、作業地まで背負って移動すると大変疲れて作業に支障をきたすことがある。そこで、できるだけ楽に移動できるように、背負式動力噴霧機を載置して移動できる移動用のカートが利用されている。
この移動用のカートは、図５に示すように、背負式動力噴霧機と別体に構成され、カート３０はハンドルとステーが一体のフレーム４１と、背負式動力噴霧機を載せるための載置台４２からなり、該載置台４２は水平にフレーム４１の下部に挟持されている。
該フレーム４１の下部の後側には、車軸３３が軸支され、該車軸３３の左右両端に車輪３４・３４が回転自在に支承されており、ナット３５を螺装して抜け止めとしている。背負式動力噴霧機の移動を行う場合は、背負式動力噴霧機を該カート３０に載せて移動する。
【０００３】
【発明が解決しようとする課題】
前記背負式動力噴霧機を載置するカートはハンドル、フレーム、載置台、ステー、車輪からなっており、殆どが金属製であったために重量が重くなっていた。そのため、カートのみを移動する場合においてもかなりの労力を必要としていた。
また、背負式動力噴霧機をカートに載せていない場合、背負式動力噴霧機専用のカートであるために、他に利用することが難しく、保管のためのスペースが必要てあり、カートを製造するにおいても、ハンドル、フレーム、載置台、ステー、車輪を製造するのでコストがかかる。
【０００４】
【課題を解決するための手段】
本発明の解決しようとする課題は以上の如くであり、次にこの課題を解決するための手段を説明する。
請求項１においては、背負式作業機にハンドル（１９）と車輪（２７）を装着し、カートとして移動できるようにする構成において、該背負式作業機を背負う為の背負いベルト（１０）の上下の取付部において、該背負いベルト（１０）の上端の固定金具（３１）の取付部である取付金具（１７）に、前記固定金具（３１）を外した状態で、カートのハンドル（１９）を着脱可能とすると共に、該背負いベルト（１０）の下部の取付金具（３２・３２）を固定するため挿入凹部（３６・３６）に、前記取付金具（３２・３２）を外した状態で、カートの車輪（２７）の支持板（２１）を挿入し、着脱可能に構成したものである。
請求項２においては、請求項１記載の背負式作業機の移動装置において、前記ハンドル（１９）と車輪（２７）を、取付金具（１７）と挿入凹部（３６・３６）に対して、ネジを用いず着脱可能とするワンタッチ取付部を設けたものである。
【０００５】
【発明の実施の形態】
次に、本発明の実施の形態を背負式作業機として背負式動力噴霧機について説明する。
図１は背負式動力噴霧機のバッテリーカバー１を取り外した状態の正面図、図２は同じく後面図、図３はバッテリーカバー１を装着した状態の側面図、図４は本発明の実施形態の一例の側面図である。
【０００６】
背負式動力噴霧機のフレームは、合成樹脂をブロー成形により一体的に構成しており、上部に薬液タンク２を配置し、該薬液タンク２の上部の投入口には蓋体１２を装着している。またフレームの下部は、背当板３を接当する背当フレーム１５と、左二重側壁フレーム９と、右二重側壁フレーム８と、バッテリー載置フレーム１１により構成している。そしてバッテリー載置フレーム１１の上面の、バッテリー５の配置部は、背当フレーム１５の部分を底面とする箱状に、薬液タンク２の下面と、二重壁に構成した左二重壁フレーム９と同じく二重壁に構成した右二重側壁フレーム８と、バッテリー載置フレーム１１が四方を取り囲んでいる。
【０００７】
前記構成とすることにより、バッテリー５を載置するに十分な強度を得る為の補強をすると共に、障害物に対してバッテリー５とモーター付噴霧ポンプ６を保護しているのである。また、該バッテリー５とモーター付噴霧ポンプ６を載置する凹部を、バッテリーカバー１にて覆い、このカバーの構成によっても、バッテリー５とモーター付ポンプ６を保護している。
【０００８】
左二重側壁フレーム９により構成した二重壁の内部には電圧表示部材１６、メインスイッチ４を配置している。右二重側壁フレーム８の上下中途部には、モーター付噴霧ポンプ６に連通した薬液パイプを貫通している。該薬液パイプの他端には、噴管のグリップ１３や開閉レバー等を介して、噴霧ノズル７と連通されている。このような構成により、薬液タンク２内の薬液を、モータ付噴霧ポンプ６により吸入して加圧し、薬液パイプを介して噴霧ノズル７に送り、作物に噴霧するようにしている。
【０００９】
前記右二重側壁フレーム８、左二重側壁フレーム９の下部後面には、背負ベルト１０の下部を取り付けるために、該背負ベルト１０の下部を係止する取付金具３２・３２を挿入するための取付部として、挿入凹部３６・３６が設けられており、該取付金具３２・３２はプレート状に構成して中央にネジ孔を開口している。一方、右二重側壁フレーム８と左二重側壁フレーム９の下部側面部にネジ２０・２０を挿入する穴が設けられ、該ネジ２０・２０を螺装することによって前記取付金具３２・３２を固定できるようにしている。
【００１０】
また、薬液タンク２の後面には背負いベルト１０の上部を取り付けるために、背負ベルト１０の上部を係止する取付金具１７・１７が、ネジやボルト等で固定されている。該取付金具１７は、平面視「コ」字状に構成して、平面部をボルトによって薬液タンク２の後面に固定し、取付金具１７の側板部にピン２６を横架して、該ピン２６に背負ベルト１０の上端に固定した金具３１を係止できるようにしている。この様にして背負バンド１０が装着される。
【００１１】
次に、本発明の移動装置の構成を図４より説明する。
移動装置は、ハンドル１９と、車輪２７と、スタンド用のステー２４から構成されている。前記ハンドル１９は、パイプまたは棒体を側面視「へ」字に構成して、該ハンドル１９の下部に取付部を設けており、本実施例では前記ピン２６を挿入可能なピン孔を取付部として開口し、ハンドル１９を装着する場合には背負式動力噴霧機の薬液タンク２の前面に取り付けられ背負バンド１０を外し、取付金具１７からピン２６を抜いて、ハンドル１９下部を位置させて、取付金具１７のピン孔とハンドル１９のピン孔を一致させてピン２６を両者に挿入して固定する。但し、ハンドル１９は左右の取付金具１７に取り付けることも可能であり、また、Ｕ字状に構成したハンドル１９の先端の両方を取付金具１７・１７に取り付けることも可能である。
【００１２】
前記車輪２７は枢軸２２の両側に回転自在に支持され、両端はナット２３・２３によって抜け止めされ、該車輪２７・２７の内側の枢軸２２上に支持板２１・２１が支持されている。該支持板２１・２１の他端は前記挿入凹部３６・３６の大きさ及び形状に合わせた構成とし、前記取付金具３２のネジ孔とも一致させてネジ孔が開口されている。よって、車輪２７・２７を装着するときには、左二重側壁フレーム９と右二重側壁フレーム８の下部よりネジ２０・２０を外して、取付金具３２・３２を外し、その外した後の挿入凹部３６・３６に支持板２１・２１を挿入して、ネジ２０・２０によって固定する。また、前記ステー２４は、側面視「へ」字状に構成して、載置フレーム１１の底部の後側にボルト２５を螺装して固定する。散布作業を行うときには前記と逆の操作をして、移動装置を外し背負いベルト１０を取り付ける。
【００１３】
また、他の実施例として、図６に示すように、前記ハンドル１９の下端に、ワンタッチ取付部として、突出方向に付勢された楔状の突起１９ａを設け、取付金具１７に装着する時には前記突起１９ａがピン２６に当接して引っ込みワンタッチで装着できるように構成することもでき、外すときは突起１９ａを押さえながら引っ張ることで抜ける。また、背負いベルト１０の下側取付部に、支持板２１のネジ孔の位置に前記突起１９ａと同様に突出方向に付勢された突起２１ａを設け、前記挿入凹部３６に挿入すると、突起２１ａがネジ孔に嵌入して抜けることを防止し、強く引き抜くことで支持板２１を外せるようにして、ワンタッチで着脱できるようにすることもできる。
【００１４】
【発明の効果】
本発明は以上の如く構成したので、次のような効果を奏するものである。
請求項１の如く、背負式作業機にハンドル（１９）と車輪（２７）を装着し、カートとして移動できるようにする構成において、該背負式作業機を背負う為の背負いベルト（１０）の上下の取付部において、該背負いベルト（１０）の上端の固定金具（３１）の取付部である取付金具（１７）に、前記固定金具（３１）を外した状態で、カートのハンドル（１９）を着脱可能とすると共に、該背負いベルト（１０）の下部の取付金具（３２・３２）を固定するため挿入凹部（３６・３６）に、前記取付金具（３２・３２）を外した状態で、カートの車輪（２７）の支持板（２１）を挿入し、着脱可能に構成したので、背負いベルトを外してハンドルと車輪を装着するだけで容易にカート仕様とすることができ、少ない部品の付け替えで容易にカート仕様とできる。
【００１５】
請求項２の如く、前記ハンドル（１９）と車輪（２７）を、取付金具（１７）と挿入凹部（３６・３６）に対して、ネジを用いず着脱可能とするワンタッチ取付部を設けたので、付け替えが短時間で行え、操作も簡単となる。そして、カートのフレームが不要となるため、移動させるためのカートを含めた背負式作業機の重量が、カートと背負式動力噴霧機が別体になった仕様よりも軽減される。カート仕様にするための部材はハンドルと車輪だけなので、背負式作業機から外した後は場所を取らず、持ち運びも容易に行え、製造においてフレーム製造に必要な材料が削減でき、製造にかかるコストが低減される。そして、カート仕様とすることで、凸凹のある路面を移動した際にもカートから背負式作業機が落下することがなく、確実に移動できる。
【図面の簡単な説明】
【図１】  背負式動力噴霧機のバッテリーカバー１を取り外した状態の正面図である。
【図２】  同じく後面図である。
【図３】  バッテリーカバー１を装着した状態の側面図である。
【図４】  本発明の実施形態の一例の側面図である。
【図５】  従来の背負式動力噴霧機をカートに載せた場合の側面図である。
【図６】  他の実施例のハンドルと車輪を示す斜視図である。
【符号の説明】
２  薬液タンク
３  背当て板
８  右二重フレーム
９  左二重フレーム
１９  ハンドル
２０  ピン
２１  支持板
２４  ステー
２７  車輪
【図１】
0003821547.tif 000002
【図２】
0003821547.tif 000003
【図３】
0003821547.tif 000004
【図４】
0003821547.tif 000005
【図５】
0003821547.tif 000006
【図６】
0003821547.tif 000007